(57)【特許請求の範囲】
【請求項１】
加熱された定着部材に加圧部材を押圧して形成された定着ニップに、未定着のトナー像が形成された記録シートを通紙して熱定着させて画像を形成する画像形成装置であって、
定着部材を加熱する加熱手段と、
１頁分の画像内に符号化された識別子の画像が含まれる場合において、当該符号化された識別子の画像が形成される、記録シート上の通紙方向における範囲を取得する取得手段と、
定着部材が維持されるべき目標温度を少なくとも第１の定着温度と前記第１の定着温度より高い第２の定着温度とに切り替える目標温度切替手段と、
定着部材の温度が前記目標温度切替手段で切り替えられた目標温度に維持されるように前記加熱手段を制御する制御手段と、
を備え、
前記目標温度切替手段は、目標温度を第１の定着温度に設定して画像を形成するなかで、前記符号化された識別子の画像が形成されている範囲内のトナー像を定着する間は、前記定着部材の温度が前記第２の定着温度になるようなタイミングで前記目標温度の切り替えを実行する
ことを特徴とする画像形成装置。
【請求項２】
加熱された定着部材に加圧部材を押圧して形成された定着ニップに、未定着のトナー像が形成された記録シートを通紙して熱定着させて画像を形成する画像形成装置であって、
定着部材を加熱する加熱手段と、
１頁分の画像内に符号化された識別子の画像が含まれる場合において、当該符号化された識別子の画像が形成される、記録シート上の通紙方向における範囲を取得する取得手段と、
定着部材が維持されるべき目標温度を少なくとも第１の定着温度と前記第１の定着温度より高い第２の定着温度とに切り替える目標温度切替手段と、
定着部材の温度が前記目標温度切替手段で切り替えられた目標温度に維持されるように前記加熱手段を制御する制御手段と、
を備え、
前記目標温度切替手段は、前記符号化された識別子の画像が形成されている範囲内のトナー像を定着する間は、前記定着部材の温度が前記第２の定着温度になるようなタイミングで前記目標温度の切り替えを実行し、
前記目標温度切替手段による目標温度の第２の定着温度への切り替えは、
前記符号化された識別子のトナー像が、定着ニップに到達するまでに前記定着部材の温度が前記第２の定着温度に達するようなタイミングで実行される
ことを特徴とする画像形成装置。
【請求項３】
前記第１の定着温度とは、文字を示す画像のトナー像を定着する際に設定される定着温度である
ことを特徴とする請求項１または２に記載の画像形成装置。
【請求項４】
前記取得手段は、ユーザーから画像形成するように指示された原画像に符号化された識別子の画像が含まれるか否かを判別する識別子判別手段を備え、
当該原画像に含まれていた符号化された識別子の画像について、前記記録シートの通紙方向における範囲を取得する
ことを特徴する請求項１から３のいずれかに記載の画像形成装置。
【請求項５】
ユーザーから画像形成するように指示された原画像に対して、符号化された識別子の画像を新たに付加する識別子画像付加手段を備え、
前記取得手段は、前記付加された符号化された識別子の画像について、前記記録シートの通紙方向における範囲を取得する
ことを特徴とする請求項１から３のいずれかに記載の画像形成装置。
【請求項６】
複数頁の画像形成動作を連続して実行する場合において、
前記識別子画像付加手段は、
符号化された識別子の画像を新たに付加すべき頁が最初に定着される頁である場合には、当該頁の原画像が形成される記録シートの通紙方向後端側の余白に前記符号化された識別子の画像を付加する
ことを特徴とする請求項５に記載の画像形成装置。
【請求項７】
複数頁の画像形成動作を連続して実行する場合において、
前記識別子画像付加手段は、
符号化された識別子の画像を新たに付加すべき頁が最後に定着される頁である場合には、当該頁の原画像が形成される記録シートの通紙方向先端側の余白に前記符号化された識別子の画像を付加する
ことを特徴とする請求項５または６に記載の画像形成装置。
【請求項８】
複数頁の画像形成動作を連続して実行する場合において、
前記識別子画像付加手段は、
前頁の記録シートの通紙方向後端側の余白に符号化された識別子の画像が付加されている場合には、次頁の原画像が形成される記録シートの通紙方向先端側の余白に前記符号化された識別子の画像を付加する
ことを特徴とする請求項５から７までのいずれかに記載の画像形成装置。
【請求項９】
前記識別子画像付加手段は、
符号化された識別子の画像を新たに付加すべき頁について、当該頁の原画像が形成されるべき記録シートの通紙方向において余白の量に差がある場合には、より余白の量が小さい領域に前記符号化された識別子の画像を付加する
ことを特徴とする請求項５に記載の画像形成装置。
【請求項１０】
１頁分の画像内に階調画像が含まれる場合において、取得手段は、さらに当該階調画像が形成される記録シート上の通紙方向における範囲を取得し、
前記目標温度切替手段は、前記目標温度を前記第２の定着温度以上の第３の定着温度に切り替え可能であって、前記階調画像が形成されている範囲内のトナー像を定着する間は、前記定着部材の温度が前記第３の定着温度となるようなタイミングで前記目標温度の切り替えを実行する
ことを特徴とする請求項１から９のいずれかに記載の画像形成装置。
【請求項１１】
前記識別子画像付加手段は、
符号化された識別子の画像を新たに付加すべき頁の原画像に、前記第２の定着温度以上の定着温度で定着すべき他の画像が含まれている場合に、
当該他の画像に一番近い余白部分に前記符号化された識別子の画像を付加する
ことを特徴とする請求項５に記載の画像形成装置。
【請求項１２】
前記識別子画像付加手段は、
前記他の画像の通紙方向先端側に余白がある場合には、当該先端側に前記符号化された識別子の画像を付加する
ことを特徴とする請求項１１に記載の画像形成装置。
【請求項１３】
前記目標温度切替手段は、１頁分の画像内に、符号化された識別子の画像と、第２の定着温度以上の温度で定着すべき他の画像が通紙方向において重ならないで配置されている場合には、その間に介在する画像についても第２の定着温度で定着するように切り替える
ことを特徴とする請求項１から１２のいずれかに記載の画像形成装置。
【請求項１４】
ユーザーから画像形成を指示された一のジョブの画像データが３頁以上ある場合において、前記目標定着温度の切り替えによる各頁の通紙方向における定着温度の変化を、少なくとも連続する３頁単位で把握する定着温度変化把握手段を備え、
前記識別子画像付加手段は、
途中の頁の画像において、新たに付加する識別子画像の位置を、前記把握された前頁の後端もしくは次頁の先端の定着温度に基づき決定する
ことを特徴とする請求項５に記載の画像形成装置。
【請求項１５】
画像形成すべき画像を９０度回転させる画像回転手段と、
通紙方向が９０度異なる第１のシートと第２のシートを選択的に給紙可能な給紙手段と、
第２の定着温度以上の定着温度で定着すべき画像の配置状態に基づき、画像の回転の要否と、当該画像の形成のため給紙すべきシートを決定する決定手段と、
を有することを特徴とする請求項１から請求項１４のいずれかに記載の画像形成装置。
【請求項１６】
前記定着ニップにおけるニップ圧を、第１ニップ圧と、前記第１ニップ圧よりも高い第２ニップ圧に変更する定着ニップ圧変更手段と、
第２定着温度以上での定着が必要な画像領域のトナーを定着する間には、定着ニップ圧が第２ニップ圧となるようにタイミングで、前記定着ニップ圧変更手段にニップ圧の変更を指示するニップ圧変更指示手段と
を備えることを特徴とする請求項１から請求項１５のいずれかに記載の画像形成装置。
【発明の詳細な説明】
【技術分野】
【０００１】
本発明は、定着時における定着部材の温度を異なる値に切り替え可能な画像形成装置に関する。
【背景技術】
【０００２】
近年、電子写真方式の画像形成装置においても節電の要請が高まっている。そのため、画像形成装置の定着装置において、定着すべきトナー量に応じて定着温度を切り替えることにより消費電力を低減する技術が提案されている。
例えば、特許文献１では、印刷すべき画像データの所定ライン数における黒ドット数をカウントし、そのカウント値が所定値未満であれば、定着装置の加熱ローラーの温度を通常の温度より低い温度に設定して節電するようにしている。
【０００３】
黒ドット数が少ない画像は、主に文字画像であって、単位面積当りに付着しているトナー量が少なく、定着温度を所定の範囲内で低くしても定着可能であり、また、文字画像では多少画質が劣化したとしても、あまり目立たないからである。
【先行技術文献】
【特許文献】
【０００４】
【特許文献１】特開平１０−２８８９１１号公報
【特許文献２】特開２００８−２６８７８４号公報
【特許文献３】特開２００８−０４６１７６号公報
【発明の概要】
【発明が解決しようとする課題】
【０００５】
しかしながら、最近では、プリント対象となる画像に、ＱＲコード（登録商標）やバーコードなど、一定の識別情報を符号化した画像（以下、「識別子画像」という。）が含まれる場合が多々あり、このような場合には、上記特許文献１のような方法で定着温度を切り替えると不都合が生じるおそれがある。
すなわち、レイアウト上、識別子画像は記録シートの端部の余白領域に配置されることが多いため、上記特許文献１に記載されているような「ドット数を判断基準にした制御方式」を採用した場合、黒ドット数が所定値未満と判断され易く、定着温度が低く設定されて定着不良による画像不良が発生しやすい状態になってしまう。
【０００６】
印刷物において文字や写真画像は、画像不良が多少あった場合でもその内容をユーザーが、認識し理解することが可能であるが、識別子画像は、そのままではユーザーが内容を理解することができず、コードリーダーなどで読み取って復号化する必要がある。しかし、識別子画像に画像不良が生じた場合には、もはや当該識別子画像を正確に読み取って復号化することが困難となり、必要な情報を取得できなくなるため、識別子画像を付した意味がなくなってしまう。
【０００７】
本発明の目的は、定着温度を適宜切り替えて節電を図りつつ、識別子画像については画像不良が生じない状態で画像が形成できる画像形成装置を提供することを目的とする。
【課題を解決するための手段】
【０００８】
上記の目的を達成するため、本発明に係る画像形成装置は、加熱された定着部材に加圧部材を押圧して形成された定着ニップに、未定着のトナー像が形成された記録シートを通紙して熱定着させて画像を形成する画像形成装置であって、定着部材を加熱する加熱手段と、１頁分の画像内に符号化された識別子の画像が含まれる場合において、当該符号化された識別子の画像が形成される、記録シート上の通紙方向における範囲を取得する取得手段と、定着部材が維持されるべき目標温度を少なくとも第１の定着温度と前記第１の定着温度より高い第２の定着温度とに切り替える目標温度切替手段と、定着部材の温度が前記目標温度切替手段で切り替えられた目標温度に維持されるように前記加熱手段を制御する制御手段と、を備え、前記目標温度切替手段は、目標温度を第１の定着温度に設定して画像を形成するなかで、前記符号化された識別子の画像が形成されている範囲内のトナー像を定着する間は、前記定着部材の温度が前記第２の定着温度になるようなタイミングで前記目標温度の切り替えを実行することを特徴とする。
【０００９】
ここで符号化とは「ある形式のデータを一定の規則に従って別の形式のデータに変換すること」を意味しており、符号化された識別子とは、ＱＲコード（登録商標）などの二次元コードやバーコードなどの一次元コードを含む概念である。
【発明の効果】
【００１０】
符号化された識別子の画像を含む画像データに基づいてシート上に画像形成する場合において、当該符号化された識別子の、通紙方向における範囲を取得し、当該範囲については、第１の定着温度よりも高い第２の定着温度にて定着するように制御しているので、符号化された識別子の画像に定着不良による画像不良が発生するのを防止することができる。
【００１１】
それ以外の箇所では、第１の定着温度を目標温度として定着動作を実行することが可能なので、節電に寄与する。
また、加熱された定着部材に加圧部材を押圧して形成された定着ニップに、未定着のトナー像が形成された記録シートを通紙して熱定着させて画像を形成する画像形成装置であって、定着部材を加熱する加熱手段と、１頁分の画像内に符号化された識別子の画像が含まれる場合において、当該符号化された識別子の画像が形成される、記録シート上の通紙方向における範囲を取得する取得手段と、定着部材が維持されるべき目標温度を少なくとも第１の定着温度と前記第１の定着温度より高い第２の定着温度とに切り替える目標温度切替手段と、定着部材の温度が前記目標温度切替手段で切り替えられた目標温度に維持されるように前記加熱手段を制御する制御手段と、を備え、前記目標温度切替手段は、前記符号化された識別子の画像が形成されている範囲内のトナー像を定着する間は、前記定着部材の温度が前記第２の定着温度になるようなタイミングで前記目標温度の切り替えを実行し、前記目標温度切替手段による目標温度の第２の定着温度への切り替えは、前記符号化された識別子のトナー像が、定着ニップに到達するまでに前記定着部材の温度が前記第２の定着温度に達するようなタイミングで実行されることを特徴とする。
ここで、前記第１の定着温度とは、文字を示す画像のトナー像を定着する際に設定される定着温度であることを特徴とする。  
【００１２】
さらに、前記取得手段は、ユーザーから画像形成するように指示された原画像に符号化された識別子の画像が含まれるか否かを判別する識別子判別手段を備え、当該原画像に含まれていた符号化された識別子の画像について、前記記録シートの通紙方向における範囲を取得することを特徴する。
また、ユーザーから画像形成するように指示された原画像に対して、符号化された識別子の画像を新たに付加する識別子画像付加手段を備え、前記取得手段は、前記付加された符号化された識別子の画像について、前記記録シートの通紙方向における範囲を取得することとしてもよい。
【００１３】
ここで、複数頁の画像形成動作を連続して実行する場合において、前記識別子画像付加手段は、符号化された識別子の画像を新たに付加すべき頁が最初に定着される頁である場合には、当該頁の原画像が形成される記録シートの通紙方向後端側の余白に前記符号化された識別子の画像を付加することを特徴とする。
また、複数頁の画像形成動作を連続して実行する場合において、前記識別子画像付加手段は、符号化された識別子の画像を新たに付加すべき頁が最後に定着される頁である場合には、当該頁の原画像が形成される記録シートの通紙方向先端側の余白に前記符号化された識別子の画像を付加することを特徴とする。
【００１４】
また、複数頁の画像形成動作を連続して実行する場合において、前記識別子画像付加手段は、前頁の記録シートの通紙方向後端側の余白に符号化された識別子の画像が付加されている場合には、次頁の原画像が形成される記録シートの通紙方向先端側の余白に前記符号化された識別子の画像を付加することを特徴とする。
また、前記識別子画像付加手段は、符号化された識別子の画像を新たに付加すべき頁について、当該頁の原画像が形成されるべき記録シートの通紙方向において余白の量に差がある場合には、より余白の量が小さい領域に前記符号化された識別子の画像を付加することを特徴とする。
【００１５】
また、１頁分の画像内に階調画像が含まれる場合において、取得手段は、さらに当該階調画像が形成される記録シート上の通紙方向における範囲を取得し、前記目標温度切替手段は、前記目標温度を前記第２の定着温度以上の第３の定着温度に切り替え可能であって、前記階調画像が形成されている範囲内のトナー像を定着する間は、前記定着部材の温度が前記第３の定着温度となるようなタイミングで前記目標温度の切り替えを実行することを特徴とする。
【００１６】
また、前記識別子画像付加手段は、符号化された識別子の画像を新たに付加すべき頁の原画像に、前記第２の定着温度以上の定着温度で定着すべき他の画像が含まれている場合に、当該他の画像に一番近い余白部分に前記符号化された識別子の画像を付加することを特徴とする。
ここで、好ましくは、前記識別子画像付加手段は、前記他の画像の通紙方向先端側に余白がある場合には、当該先端側に前記符号化された識別子の画像を付加することを特徴とする。
【００１７】
また、前記目標温度切替手段は、１頁分の画像内に、符号化された識別子の画像と、第２の定着温度以上の温度で定着すべき他の画像が通紙方向において重ならないで配置されている場合には、その間に介在する画像についても第２の定着温度で定着するように切り替えることを特徴とする。
また、ユーザーから画像形成を指示された一のジョブの画像データが３頁以上ある場合において、前記目標定着温度の切り替えによる各頁の通紙方向における定着温度の変化を、少なくとも連続する３頁単位で把握する定着温度変化把握手段を備え、前記識別子画像付加手段は、途中の頁の画像において、新たに付加する識別子画像の位置を、前記把握された前頁の後端もしくは次頁の先端の定着温度に基づき決定することを特徴とする。
【００１８】
また、画像形成すべき画像を９０度回転させる画像回転手段と、通紙方向が９０度異なる第１のシートと第２のシートを選択的に給紙可能な給紙手段と、第２の定着温度以上の定着温度で定着すべき画像の配置状態に基づき、画像の回転の要否と、当該画像の形成のため給紙すべきシートを決定する決定手段とを有することを特徴とする。
また、前記定着ニップにおけるニップ圧を、第１ニップ圧と、前記第１ニップ圧よりも高い第２ニップ圧に変更する定着ニップ圧変更手段と、第２定着温度以上での定着が必要な画像領域のトナーを定着する間には、定着ニップ圧が第２ニップ圧となるようにタイミングで、前記定着ニップ圧変更手段にニップ圧の変更を指示するニップ圧変更指示手段とを備えることを特徴とする。
【図面の簡単な説明】
【００１９】
【図１】本発明の第１実施の形態に係る複写機の構成を示す図である。
【図２】上記複写機における定着部の要部の構成を示す概略断面図である。
【図３】本発明の第１実施の形態における制御部の構成を示すブロック図である。
【図４】（ａ）（ｂ）は、第１実施の形態における目標定着温度切替処理の概要を説明するための図である。
【図５】第１実施の形態における温調制御処理の内容を示すフローチャートである。
【図６】図５のステップＳ１０６における目標定着温度切替タイミング決定処理のサブルーチンを示すフローチャートである。
【図７】上記目標定着温度切替タイミング決定処理における具体的なタイミング決定の方法を説明するための図である。
【図８】上記目標定着温度切替タイミング決定処理により作成される目標定着温度切替タイミングテーブルの例を示す図である。
【図９】（ａ）は、ＱＲコード（登録商標）の例を示し、（ｂ）は、その位置検出用パターンの拡大図を示す。
【図１０】本発明の第２実施の形態における制御部の構成を示すブロック図である。
【図１１】（ａ）（ｂ）（ｃ）は、第２実施の形態における原画像に対する識別子画像の付加および目標定着温度切替処理の概要を説明するための図である。
【図１２】第２実施の形態における温調制御処理の内容を示すフローチャートである。
【図１３】図１２のステップＳ３０２における識別子画像付加位置決定処理のサブルーチンの内容を示すフローチャートである。
【図１４】（ａ）（ｂ）は、上記識別子画像付加位置決定処理における識別子画像付加位置決定方法の一例を示す図である。
【図１５】（ａ）（ｂ）は、上記識別子画像付加位置決定処理における識別子画像付加位置決定方法の別の例を示す図である。
【図１６】本発明の第３実施の形態における制御部の構成を示すブロック図である。
【図１７】第３実施の形態における温調制御処理の内容を示すフローチャートである。
【図１８】図１７のステップＳ５０８における識別子画像付加位置決定処理１のサブルーチンの内容を示すフローチャートである。
【図１９】図１７のステップＳ５１０における目標定着温度切替タイミング決定処理１のサブルーチンの一部を示すフローチャートである。
【図２０】図１９の続きのフローチャートを示す図である。
【図２１】図１７のステップＳ５１４における目標定着温度切替処理１のサブルーチンを示すフローチャートである。
【図２２】（ａ）（ｂ）は、第３実施の形態における識別子画像付加位置決定処理1における識別子画像付加位置の一例を示す図である。
【図２３】（ａ）（ｂ）は、第３実施の形態における識別子画像付加位置決定処理１における識別子画像付加位置の別の例を示す図である。
【図２４】第３の実施の形態における目標定着温度タイミング決定処理１における具体的なタイミング決定の第１の例を説明するための図である。
【図２５】第３の実施の形態における目標定着温度タイミング決定処理１における具体的なタイミング決定の第２の例を説明するための図である。
【図２６】第３の実施の形態における目標定着温度タイミング決定処理１における具体的なタイミング決定の第３の例を説明するための図である。
【図２７】第３の実施の形態における目標定着温度切替処理の変形例を示す図であって、（ａ）は原画像、（ｂ）は識別子画像付加後の画像、（ｃ）は、目標定着温度を各第１、第２定着温度とすべき記録シート上の範囲を示す。
【図２８】第１の実施の形態における目標定着温度切替処理の変形例を示す図である。
【図２９】上記変形例を実施する場合の温調制御処理のフローチャートにおける特徴的な処理を示す部分的なフローチャートである。
【図３０】（ａ）（ｂ）は、定着温度と共に、定着ニップ圧を変化させる場合の定着部の構成例を示す図である。
【発明を実施するための形態】
【００２０】
以下、本発明の実施形態に係る画像形成装置を、カラー画像の形成が可能な複写機に適用した場合について説明する。
＜第１の実施の形態＞
図１は、本実施の形態に係る複写機１の構成を説明するための概略図である。
同図に示すように、複写機１は、大きく分けて、イメージリーダー部（原稿読取装置）Ａとプリンター部（画像形成装置）Ｂとからなる。
【００２１】
イメージリーダー部Ａは、原稿画像を光学的に読み取って画像信号に変換するスキャナー部１０、および、このスキャナー部１０の上方に設けられた原稿搬送部（ＡＤＦユニット）１１を備えており、いわゆるシートスルー方式及びミラースキャン方式の両方式での原稿画像の読み込みを選択的に実行できるように構成されている。
また、プリンター部Ｂは、電子写真方式により、上記イメージリーダー部Ａで読み取った原稿画像や、ネットワークを介して他の端末から送信されてきた画像データに基づき、記録シート上にカラー画像を形成するものである。
【００２２】
以下各部の構成について説明する。
（１）イメージリーダー部
（１−１）原稿搬送部
原稿搬送部１１は、シートスルー方式の読取り実行時に原稿給紙トレイ１１１にセットされた原稿束から原稿をピックアップローラー１１３で繰り出して、捌きローラー部１１４で原稿を１枚ずつ分離し、レジストローラー対１１５でスキュー補正をすると共にタイミングを図って、第１読取用ガラス１０１上の読取り位置に向けて送り出し、当該読取り位置で原稿画像が読み取られた後、排出ローラー対１１６を介して原稿排出トレイ１１７に排出するものである。
【００２３】
原稿給紙トレイ１１１に設けられた昇降板１１２は、ピックアップローラー１１３による繰出し時に、不図示のカム機構などにより上方に揺動され、原稿束の最上位の原稿の上面をピックアップローラー１１３に当接させるためのものである。
（１−２）スキャナー部
スキャナー部１０の筐体１００の上面には、帯板状の第１読取用ガラス１０１と平板状の第２読取用ガラス１０２とが設けられている。
【００２４】
筺体１００内部には、第１スライダー１０３および第２スライダー１０４と、集光レンズ１０５と、ラインセンサー１０６などが配設される。
ラインセンサー１０６は、複数のＣＣＤ（Charge Coupled Device）を、主走査方向と平行な方向に直線状に配列してなる。
第１スライダー１０３には、ＬＥＤアレイなどからなる線状光源１０３ａと第１ミラー１０３ｂとが搭載されており、不図示の駆動モーターにより、矢印Ｃ方向にスライド移動される。
【００２５】
第２スライダー１０４には、一対のミラー１０４ａ、１０４ｂが９０度の角度をなして設置されると共に、動滑車を利用したワイヤー駆動により、第１スライダー１０３の半分の速度で同じＣ方向に移動するように構成されている。
第２読取用ガラス１０２上に手置きされた原稿の画像を読み取る場合（ミラースキャン方式）には、第１スライダー１０３は、矢印Ｃの方向にスライドしつつ、線状光源１０３ａから第２読取用ガラス１０２上に載置された原稿に向けて光を照射する。
【００２６】
第２ミラー１０４ａおよび第３ミラー１０４ｂが設けられた第２スライダー１０４は、第１スライダー１０３の移動速度の半分の速度でＣ方向にスライドするように構成されているので、原稿面から集光レンズ１０５に到るまでの光学的距離を一定に保つことができる。これにより、第２読取用ガラス１０２上に載置された原稿の画像が、集光レンズ１０５を介してラインセンサー１０６で結像するようにしている。
【００２７】
一方、原稿搬送部１１によって第１読取用ガラス１０１上を搬送される原稿の画像を読み取る場合（シートスルー方式）には、第１スライダー１０３は、図１に示すように、線状光源１０３ａが第１読取用ガラス１０１の真下から原稿に向けて光を照射できる位置に維持される。
ラインセンサー１０６は、入射された原稿からの反射光を電気信号に変換して制御部５０に出力する。
【００２８】
（２）プリンター部
プリンター部Ｂは、画像形成部２０、給紙部３０、定着部４０、制御部５０などからなる。画像形成部２０は、不図示の駆動源により矢印Ｄ方向に周回駆動される中間転写ベルト２２と、中間転写ベルト２２の下側において、中間転写ベルト２２の水平に移動する部分に沿って列設されたプロセスユニット２３Ｙ、２３Ｍ、２３Ｃ、２３Ｋとを備えている。
【００２９】
プロセスユニット２３Ｙ、２３Ｍ、２３Ｃ、２３Ｋは、それぞれ、イエロー（Ｙ）、マゼンタ（Ｍ）、シアン（Ｃ）、ブラック（Ｋ）の各色のトナー画像を形成する。
これらのプロセスユニット２３Ｙ〜２３Ｋは、充填されるトナーの色を除き、何れも同様の構成になっているので、代表してプロセスユニット２３Ｋの構成についてのみ説明する。
【００３０】
プロセスユニット２３Ｋは、感光体ドラム２４Ｋを中心にして、その周囲に帯電器２５Ｋ、露光器２６Ｋ、現像器２７Ｋを配設してなる。
感光体ドラム２４Ｋは、帯電器２５Ｋによって外周面が一様に帯電される。
露光器２６Ｋは、イメージリーダー部Ａで取得された画像データに基づき、レーザ光源を変調駆動して、帯電された感光体ドラム２４Ｋの表面を露光走査する。これにより感光体ドラム２４Ｋの外周面に静電潜像が形成される。
【００３１】
当該静電潜像は、現像器２７Ｋによってブラック色のトナーで現像される。
また、感光体ドラム２４Ｋの上方の、中間転写ベルト２２を挟んだ位置に、１次転写ローラー２８Ｋが設けられている。
この１次転写ローラー２８Ｋは、感光体ドラム２４Ｋとの間に電界を形成する。これにより、感光体ドラム２４Ｋ上のトナー画像は、その電界の作用によって、中間転写ベルト２２上に転写される。
【００３２】
他のプロセスユニット２３Ｙ、２３Ｍ、２３Ｃの上方にも、同様に、中間転写ベルト２２を挟んで１次転写ローラー２８Ｙ、２８Ｍ、２８Ｃがそれぞれ設けられており、プロセスユニット２３Ｙ、２３Ｍ、２３Ｃにおける感光体ドラム上に形成されたＹ色、Ｍ色、Ｃ色のトナー画像が中間転写ベルト２２上に転写される。中間転写ベルト２２上の同じ位置に、Ｙ、Ｍ、Ｃ、Ｋの各色のトナー画像を重ねて転写することにより、カラー画像が形成される。
【００３３】
中間転写ベルト２２上に転写されたトナー画像は、中間転写ベルト２２の周回動作によって、２次転写ローラー２１と対向する２次転写位置２１ａへと搬送される。
一方、給紙部３０は、給紙カセット３１に収納された記録シートＳを繰り出して１枚ずつ２次転写位置２１ａに搬送する。
記録シートＳの束は、給紙カセット３１内の、支軸３２ａにより上下に揺動可能に軸支された昇降板３２の上に載置され、カム板３３を不図示の駆動源により回動して昇降板３２を上方向に揺動させ、シート束の最上位の記録シートＳの表面がピックアップローラー３４の周面に当接するように構成されている。
【００３４】
ピックアップローラー３４の回転により繰り出された記録シートＳは、給送ローラー３５と捌きローラー３６のニップ部（捌きニップ部）を通過する際に１枚に捌かれる。
捌きニップ部で捌かれた記録シートＳは、縦搬送ローラー対３７を介して、シート搬送方向下流側のレジストローラー対３８まで縦方向に搬送される（以下、本明細書において、記録シートの搬送方向における下流側、上流側を、それぞれ単に「下流側」、「上流側」という。）。
【００３５】
縦搬送部における、符号２０１は、タイミングセンサーであり、例えば、発光素子と、発光素子から射出された光の記録シートからの反射光を検出する受光素子を備える反射型光電センサーからなり、当該検出位置にて、記録シートＳの先端もしくは後端を検出するために使用される。
制御部５０は、タイミングセンサー２０１の検出信号がＯＦＦからＯＮに立ち上がったとき、記録シートＳの先端がタイミングセンサー２０１の検出位置を通過したものと判定し、ＯＮからＯＦＦに立ち下がったとき、記録シートＳの後端がタイミングセンサー２０１の検出位置を通過したものと判定する。
【００３６】
レジストローラー対３８は、最初は回転を停止しており、タイミングセンサー２０１で記録シートＳの先端を検出した後、所定時間だけ縦搬送ローラー対３７で記録シートＳを搬送し続けることにより、縦搬送ローラー対３７とレジストローラー対３８間にループが形成され、記録シートＳの腰の強さにより、記録シートＳの先端がレジストローラー対３８のニップ部に沿った状態になる。
【００３７】
その後、所定のタイミングでレジストローラー対３８を回転させて記録シートＳを送り出すことにより、記録シートＳのスキュー（斜行）が補正された状態でさらに下流側の２次転写位置２１ａに搬送され、カラーのトナー像が記録シートＳ上に転写される。
トナー像が転写された記録シートは、定着部４０において熱定着される。
図２は、定着部４０の要部を示す概略断面図である。
【００３８】
同図に示すように定着部４０は、加熱ローラー４１と、加圧ローラー４２と、ハロゲンヒーター４３と、温度センサー４４を備える。
加熱ローラー４１は、アルミニウムからなる中空の芯金４１１の外周面にシリコーンゴムなどの耐熱性に優れた樹脂により弾性層４１２を形成してなり、さらにその外周面には離型層としてフッ素樹脂層（不図示）が積層されている。芯金４１１の内部には、その軸方向に沿って、加熱手段としてハロゲンヒーター４３が挿通されている。
【００３９】
加圧ローラー４２は、アルミニウム製の円筒形の芯金４２１の外周面にシリコーンゴムからなる弾性層４２２が形成され、図示しないバネなどにより加熱ローラー４１に押圧されて、所定幅の定着ニップＦＮが形成されている。
加熱ローラー４１の外周面の温度を測定するため温度センサー４４が配設される。この温度センサー４４は、例えば、非接触式のサーミスターや赤外線センサーなどが使用される。
【００４０】
制御部５０は、この温度センサー４４の検出結果に基づき、加熱ローラー４１の外周面の表面温度（以下では、単に「加熱ローラー４１の温度」という。）が、目標とする定着温度となるようにハロゲンヒーター４３へ供給する電力を制御する（温調制御）。
加熱ローラー４１と、加圧ローラー４２とは、それぞれの軸方向（同図の紙面垂直方向に相当）の両端部が図示しないフレームに軸受部材などを介して回転自在に支持されると共に、加熱ローラー４１は、不図示の駆動源により同図の矢印方向に回転駆動され、加圧ローラー４２が従動回転するようになっている。
【００４１】
図１に戻り、上記定着部４０の定着ニップＦＮを通過してトナー画像が定着された記録シートは、排出ローラー対３９を介して排出トレイ３９１上に排出される。
中間転写ベルト２２上の、記録シートに転写しきれなかったトナーは、クリーニングブレード２９により除去される。
上記では、カラーモードを実行する場合の動作を説明したが、モノクロ、例えばブラック色のプリント（モノクロモード）を実行する場合には、ブラック色用の作像部２３Ｋだけが駆動され、上記と同様の動作によりブラック色に対する帯電、露光、現像、転写、定着の各工程を経て記録シートにブラック色の画像形成が実行される。
【００４２】
装置本体の正面側かつ上側であり、ユーザーの操作し易い位置に、操作パネル７０（図１では不図示。図３参照）が配置される。操作パネル７０は、ユーザーからの各種指示を受け付けるボタンやタッチパネル式の液晶表示部などを備えており、当該受け付けた指示内容を制御部５０に伝え、あるいは複写機１の状態を示す情報などを液晶表示部に表示する。
【００４３】
制御部５０は、イメージリーダー部Ａにおける原稿搬送部１１、スキャナー部１０、プリンター部Ｂにおける画像形成部２０、給紙部３０、定着部４０などの動作を制御する。
（３）制御部５０の構成
図３は、制御部５０の主要な構成を示すブロック図である。
同図に示すように、制御部５０は、ＣＰＵ（Central Processing Unit）５１、通信Ｉ／Ｆ（インターフェース）５２、ＲＡＭ(Random Access Memory)５３、ＲＯＭ(Read Only Memory)５４、画像処理部５５，画像メモリ５６、識別子画像判別部５７、定着温度切替タイミング記憶部５８、タイマー５９からなる。
【００４４】
ＣＰＵ５１は、複写機１への電源投入時などにおいて、ＲＯＭ５４から、制御プログラムを読み出し、ＲＡＭ５３を作業用記憶領域として当該制御プログラムを実行する。
また、ＣＰＵ５１は、通信Ｉ／Ｆ５２により、ＬＡＮなどの通信ネットワークを介して他の端末からプリントジョブを受け付ける。
スキャナー部１０で読み取られた原稿画像の画像データもしくは外部端末から受信したプリントジョブのデータに含まれる画像データは、画像処理部５５でエッジ強調やスムージング処理などの公知の画像処理を受けた後、画像メモリ５６内に格納される。
【００４５】
識別子画像判別部５７は、画像メモリ５６内の画像データを頁毎に検索して識別子画像の有無およびその位置を判定し、ＣＰＵ５１に報告する。
ＣＰＵ５１は、上記識別子画像判別部５７から得た情報に基づき、ページ毎の定着動作において、識別子画像が定着ニップＦＮに到着するまでに加熱ローラー４１の温度が第２定着温度するように目標定着温度を切り替えるタイミングを決定し、そのタイミングを定着温度切替タイミング記憶部５８に記憶させる。
【００４６】
上記の画像メモリ５６や定着温度切替タイミング記憶部５８は、例えば、ＥＥＰＲＯＭ（登録商標）などの不揮発性メモリからなる。
また、タイマー５９は、レジストローラー対３８の駆動開始時から計時を開始し、ＣＰＵ５１は、このタイマー５９を参照して、定着温度切替タイミング記憶部５８に記憶されたタイミングで目標定着温度を切り替え、温度センサー４４の検出値に基づき、定着部４０の加熱ローラー４１の温度が当該目標定着温度に維持されるように温調制御する。温調制御の詳細は後述する。
【００４７】
ＣＰＵ５１は、イメージリーダー部Ａにおける原稿搬送部１１、スキャナー部１０を制御して、原稿画像を読取って画像データを生成すると共に、当該読み取った画像データ、もしくは、通信Ｉ／Ｆ５２を介して外部の端末装置から受け付けたプリントジョブの画像データに基づき、プリンター部Ｂにおける画像形成部２０、給紙部３０の動作を制御して、コピー動作やプリント動作を円滑に実行させる。
【００４８】
（４）温調制御処理
次に、制御部５０による定着部４０の温調制御処理について説明する。
（４−１）温度制御処理の概要
本実施の形態では、プリント対象となる画像データ内に識別子画像が含まれている場合に、当該識別子画像のトナー像を定着する際の温度が、文字部分のトナー像を定着するときの温度より高くなるように制御する。
【００４９】
例えば、原稿をスキャンして得られた画像が、図４（ａ）に示すようなＡ〜Ｆのアルファベットの各文字列６０１、識別子画像としてＱＲコード（登録商標）６０２が複数行に記載されている画像であったような場合には、制御部５０は、図４（ｂ）に示すように、トナー像が転写された記録シートのうち、記録シートの定着部４０への通紙方向（すなわち、記録シートの搬送方向）におけるＱＲコード（登録商標）６０２の画像が形成されている領域ａ１〜ａ５については、加熱ローラー４１の温度が、文字列を定着するのに必要な定着温度（第１定着温度）よりも高い定着温度（第２定着温度）となるように温調制御する。
【００５０】
なお、本実施の形態では、第１定着温度は、例えば１６０℃に設定されており、また、第２定着温度は、識別子画像のトナー像に対して、十分な定着性を実現できる温度として、第１定着温度より１０℃高い１７０℃に設定している。
（４−２）温調制御処理のフローチャート
図５は、本実施の形態において制御部５０により実行される温調制御処理の内容を示すフローチャートである。このフローチャートは、複写機１全体の動作を制御するメインフローチャート（不図示）のサブルーチンとして実行されるものである。
【００５１】
まず、プリント対象となる画像データを取得する（ステップＳ１０１）。
ここで、プリント対象となる画像データには、ＬＡＮを経由して外部端末から受信したプリントジョブにおける画像データやスキャナー部１０で原稿をスキャンして取得した画像データが含まれている。
そして、頁数を示す変数Ｎを初期値の「１」に設定すると共に（ステップＳ１０２）、加熱ローラー４１が制御されるべき目標の定着温度（目標定着温度）Ｔｏを第１定着温度Ｔ１に設定する（ステップＳ１０３）。
【００５２】
次に、制御部５０の識別子画像判別部５７において、上記取得した画像データのうち、Ｎ頁目の画像データに識別子画像の画像データが含まれているか否かを判定する（ステップＳ１０４）。
例えば、画像データが、スキャナー部１０で読み取った原稿の画像データである場合には、当該原稿のスキャン画像に基づき識別子画像を検出することができる。
【００５３】
図９（ａ）は、識別子画像として代表的なＱＲコード（登録商標）６００の例を示す。
同図に示すようにＱＲコード（登録商標）６００には、その三隅に、矩形の位置検出パターン６１０が設けられている。位置検出パターン６１０は、図９（ｂ）に示すように、外枠６１０ａの内部に黒四角６１０ｂが形成されており、規格上Ｄ１〜Ｄ３方向のいずれの方向においても、黒色部分と、その間の白色部分の比が、「１：１：３：１：１」となるように形成されているので、これにより３つの矩形マーク６１１の位置が特定され、それを三隅に持つＱＲコード（登録商標）６１０の存在の有無とその位置に関する情報が取得され、その個数をカウントして個数情報が得られる。
【００５４】
なお、他の識別子画像であっても、その規格上、何らかの検出可能な特徴的なマークが設けられており、識別子画像判別部５７は、画像データからそれらの特徴的なマークを検出することによりその位置情報と個数情報を得ることができる。
また、画像データが外部端末から受信したプリントジョブデータに含まれるものであった場合には、通常は、ＰＤＬ（ページ記述言語）データとして受信する。ＰＤＬデータ内には、印字のための制御情報として、各ページに含まれる画像の種別（テキストデータ、写真画像などの種類）、とその配置に関する情報が含まれているため、当該制御情報を解析することにより、識別子画像の有無を判定可能である。
【００５５】
識別子画像判別部５７は、識別子画像の判別に際して、その位置情報と個数情報を、例えば、ＣＰＵ５１を経由して一旦ＲＡＭ５３（図３）内に当該識別子画像を検出した頁数Ｍに対応付けて格納するようになっており、ＣＰＵ５１は当該格納された情報を参照して、図５のステップＳ１０４の判定を行う。
ステップＳ１０４において、Ｎ頁目の画像データに識別子画像が含まれていると判定された場合には（ステップＳ１０４でＹＥＳ）、当該識別子画像の頁内における位置情報とその個数情報をＲＡＭ５３から取得し（ステップＳ１０５）、定着時における制御部５０による加熱ローラー４１の温度の制御目標温度を切り替えるタイミングを決定する処理（目標定着温度切替タイミング決定処理）を実行する（ステップＳ１０６）。
【００５６】
図６は、上記ステップＳ１０６における目標定着温度切替タイミング決定処理のサブルーチンを示すフローチャートである。
また、図７は、図６のフローチャートにしたがって目標温度を切り替えた場合における加熱ローラー４１の温度変化のシミュレーションの一例を示す図である。
まず、プリント対象となっている頁内の識別子画像の通紙方向における順番を示す変数Ｍを１に初期設定する（ステップＳ２０１）。
【００５７】
そして、加熱ローラー４１の温度が第１定着温度Ｔ１（１６０℃）から第２定着温度Ｔ２（１７０℃）に上昇するまでに要する時間ｔａを取得する（ステップＳ２０２）。この時間は、ハロゲンヒーター４３による加熱能力や加熱ローラー４１の熱容量により、温度上昇率（昇温勾配ｋａ）が予め求められてＲＯＭ５４内に格納されており、Ｔ２とＴ１の温度差（本例では１０℃）を当該温度上昇率で除することにより容易に求められる。
【００５８】
次に、ハロゲンヒーター４３をオフにして、加熱ローラー４１の温度がＴ２からＴ１に下降するまでの時間ｔｂを取得する（ステップＳ２０３）。温度下降率（降温勾配ｋｂ）も予め求められてＲＯＭ５４に格納されており、当該値を読み出して、Ｔ２とＴ１の温度差を当該温度降下率で除することにより容易に求められる。
なお、厳密に言えば、昇温勾配ｋａ、降温勾配ｋｂのそれぞれの値は、ハロゲンヒーター４３の加熱能力のほかに、記録シートの厚みや実際に付着しているトナー量、装置内湿度、定着部の暖まり具合などにより微妙に誤差が生じるが、予め実験などでそれぞれの誤差の範囲を求めておき、昇温勾配ｋａはその取り得る範囲のうち絶対値が最小のものを採用し、降温勾配ｋｂは、その取り得る範囲のうち絶対値が最大のものを採用すれば、少なくとも識別子画像が定着部４０の定着ニップを通過している間は、加熱ローラー４１の温度を第２定着温度に維持することが可能である。
【００５９】
図５のステップＳ１０５で求められた識別子画像の位置情報に基づき、レジストローラー対３８の駆動開始時から計時を開始し、この駆動開始時を基準時刻「０」として、Ｍ番目の識別子画像の先端が定着ニップに到着する時刻ｔ2M−１およびＭ番目の識別子画像の後端が定着ニップを通過する時刻ｔ2Mを取得する（ステップＳ２０４）。
例えば、Ｍ＝１の場合、レジストローラー対３８のニップの入口側から定着部４０の定着ニップＦＮの入口側Ｎｉｎ（図２参照）までの搬送路上の距離をｄ１、記録シートの搬送方向先端から１番目の識別子画像の先端までの距離をｄ２とし（このｄ２の値は、当該識別子画像の位置情報から得られる。）、記録シートの搬送速度ｖとすれば、レジストローラー対３８の駆動開始から、１番目の識別子画像の先端が定着ニップＦＮに到着するまでの時間は、（ｄ１＋ｄ２）／ｖとして容易に求めることができる（図７、点Ｐ１参照）ので、これを時刻ｔ１とすればよい。
【００６０】
また、レジストローラー対３８のニップの入口側から定着部４０の定着ニップの出口側Ｎｏｕｔまでの搬送路上の距離をｄ３、記録シートの搬送方向先端から１番目の識別子画像の後端辺までの距離がｄ４とすれば、レジストローラー対３８の駆動開始から１番目の識別子画像の後端が定着ニップＦＮを抜けるまでの時間は、（ｄ３＋ｄ４）／ｖとして同様に求めることができるので（図７、点Ｐ２参照）、その値を時刻ｔ２とすればよい。
【００６１】
なお、基準時刻は、上記のようなレジストローラー対３８の駆動開始時に限られず、定着温度切替タイミングを特定するための何らかの基準となる時刻であればよい。
そして、Ｍ番目の識別子画像の先端が、定着ニップＦＮに到着する時刻ｔ2M-1から、昇温によるする時間ｔａを引いた時間（ｔ2M-1−ｔａ）の値を、目標定着温度をＴ１からＴ２に切り替えるタイミング時刻ｔｓＭとする（ステップＳ２０５）。
【００６２】
なお、仮に（ｔ2M-1−ｔａ）＜０となった場合には、レジストローラー対３８の駆動開始タイミングよりも（ｔａ−ｔ2M-1）だけ早い時刻がタイミング時刻ｔｓＭとして設定されることになる。
このタイミング時刻ｔｓＭで目標定着温度をＴ２に切り替えて温調制御することにより、Ｍ番目の識別子画像の先端が定着ニップＦＮに到着する時点では加熱ローラー４１の温度がＴ２まで上昇している（図７、点Ｐ１参照）。このように目標定着温度の切替タイミングを設定することにより、識別子画像の先端が定着ニップＦＮに到着とほぼ同時に、加熱ローラー４１の温度がＴ２まで上昇することが可能になり、節電効率を上げつつ、識別子画像の定着性を維持できる。もっとも、少なくとも識別子画像の先端が定着ニップＦＮに到着するまでに加熱ローラー４１の温度がＴ２まで上昇しておれば定着性には問題がなく、節電効果もそれなりに得られる。
【００６３】
また、上記Ｍ番目の識別子画像の後端が定着ニップを通過する時刻ｔ2Mを、目標定着温度をＴ２からＴ１に切替するタイミング時刻ｔｅＭとする（ステップＳ２０６）。Ｍ番目の識別子画像の後端が定着ニップＦＮを通過すると、もはや目標定着温度をＴ２に維持する必要がないので、即座に目標温度をＴ１に切り替えて節電するためである（図７、点Ｐ２参照）。
【００６４】
そして、次の識別子画像が存在するか否かを判定し（ステップＳ２０７）、存在する場合には（ステップＳ２０７でＹＥＳ）、Ｍの値を１だけインクリメントし（ステップＳ２０８）、先の識別子画像の後端が定着ニップを通過してから、次の識別子画像の先端が、定着ニップに到着するまでの時間ｔｃが、（ｔａ＋ｔｂ）以上であるか否かを判定する（ステップＳ２０９）。
【００６５】
ここで、時間ｔｃは、先の識別子画像の後端から次の識別子画像の先端までの距離に定着ニップＦＮの幅を減算した値を記録シートの搬送速度ｖで除することにより容易に求めることができる。
図７の点Ｐ２・Ｐ３間のように時間ｔｃが、（ｔａ＋ｔｂ）以上である場合には（ステップＳ２０９でＹＥＳ。）、次の切替タイミングまでに加熱ローラー４１の温度が一旦Ｔ１まで下がることになるので、ステップＳ２０４に戻って、次の識別子画像の先端が定着ニップに到着する時刻ｔ３より時間ｔａだけ早い時刻をタイミングｔｓ２に設定する（ステップＳ２０５）。そして、ステップＳ２０６で、目標定着温度Ｔ０をＴ２からＴ１へ切り替えるタイミングを決定する。
【００６６】
ステップＳ２０９において、ｔｃが（ｔａ＋ｔｂ）以上でない場合、すなわち、図７の点Ｐ４・Ｐ５間のような場合には、Ｔ２からＴ１への降温途中において目標定着温度をＴ２に切り替える必要があるので、この場合には、点Ｐ４を通る降温直線Ｌ１と点Ｐ５を通る昇温直線Ｌ２との交点Ｐ６の時刻を目標定着温度ＴｏをＴ１からＴ２へ切り替えるタイミングとする（ステップＳ２１０）。
【００６７】
点Ｐ４、Ｐ５の座標は、（ｔ４，Ｔ２）、（ｔ５，Ｔ２）であり、降温直線Ｌ１、昇温直線Ｌ２の勾配はそれぞれｋｂ、ｋａであるので、
降温直線Ｌ１は、    Ｔ＝ｋｂ（ｘ−ｔ４）＋Ｔ２  ・・・（１）
昇温直線Ｌ２は、    Ｔ＝ｋａ（ｘ−ｔ５）＋Ｔ２  ・・・（２）
と表すことができ、（１）（２）の連立方程式を解くことにより、両直線Ｌ１、Ｌ２の交点のｔ座標の値を容易に求めることができる。
【００６８】
そして、レジストローラー対の駆動開始時を基準にして、Ｍ番目の識別子画像の後端が定着ニップを通過する時刻ｔ２ＭをｔｅＭに設定する（ステップＳ２１１）。
上記の切替タイミング設定処理を当該頁における識別子画像がなくなるまで繰り返し、当該頁に識別子画像がなくなった場合には（ステップＳ２０７でＮＯ）、図５のフローチャートにリターンする。
【００６９】
図８は、このようにして決定された目標定着温度切替のタイミングを示すテーブル（目標定着温度切替タイミングテーブル）であり、定着温度切替タイミング記憶部５８内に保存される。
図５のステップＳ１０７において、Ｎ頁目の画像データにＲＩＰ（Raster Image Processor）処理を施し、加熱ローラー４１の温度がＴ１に到達していることを確認して（ステップＳ１０８でＹＥＳ）、プリント動作を開始する（ステップＳ１０９）。
【００７０】
上記ステップＳ１０６で作成した目標定着温度切替タイミングテーブル（図８）を参照し、タイマー５９による計時時刻が、目標定着温度ＴｏをＴ１からＴ２に切替するタイミングになると（ステップＳ１１０でＹＥＳ）、目標定着温度ＴｏをＴ２に切り替えて（ステップＳ１１１）、当該定着温度Ｔ２になるように温調制御する。そして、目標定着温度をＴ２からＴ１に切り替えるタイミングになれば（ステップＳ１１２でＹＥＳ）、目標定着温度ＴｏをＴ１に設定して（ステップＳ１１３）、当該定着温度Ｔ１になるように温調制御する。
【００７１】
そして、ステップＳ１１４で、Ｎ頁目の定着処理を完了したか否かを判定する。この判定は、使用している記録シートのサイズ（給紙カセット３１に設けられた公知のサイズ検知センサ（不図示）による検出結果、もしくは、ユーザーによる操作パネル７０からの入力により認識可能）により、例えば、上記レジストローラー対３８駆動開始からの経過時間や、定着部４０の定着ニップＦＮ手前に配された通紙センサー（不図示）で、記録シートの後端が検出されてからの経過時間により、当該記録シートの後端が定着ニップを抜けたか否かを判定して行うことができる。
【００７２】
Ｎ頁目の定着処理が終了していなければ（ステップＳ１１４でＮＯ）、上記ステップＳ１１０〜Ｓ１１３を繰り返す。
一方、ステップＳ１０４において、Ｎ頁目の画像データに識別子画像が含まれていないと判定された場合には（ステップＳ１０４でＮＯ）、当該頁については、目標定着温度切替タイミング決定処理は不要なので、Ｎ頁目の画像データにＲＩＰ（Raster Image Processor）処理を施し（ステップＳ１１５）、加熱ローラー４１の温度がＴ１に到達していることを確認して（ステップＳ１１６でＹＥＳ）、Ｎ頁目のプリント動作を開始する（ステップＳ１１７）。
【００７３】
そして、ステップＳ１１８で、Ｎ頁目の定着処理を完了したか否かを判定する。
上記ステップＳ１１４もしくはステップＳ１１８において、Ｎ頁目の定着処理が終了すれば、ステップＳ１１９に移って、全頁のプリントが完了したか否かを判定する。
ここで、一のジョブで連続してプリントすべき頁数は、ステップＳ１０１で取得した画像データがコピージョブの画像データである場合には、原稿スキャン時にカウントした枚数から知ることができ、プリントジョブの場合には、プリントジョブデータにおける制御情報から知ることができるので、プリントアウト枚数をカウントすることにより、全頁のプリントが完了したか否かを判断できる。
【００７４】
全頁のプリントが完了していない場合には（ステップＳ１１９でＮＯ）、ステップＳ１２０でＮを「１」だけインクリメントして次の頁の画像データについてステップＳ１０４の判定結果に基づき、ステップＳ１０５〜Ｓ１１４あるいはステップＳ１１５〜１１８の処理を繰り返す。
全頁のプリントを完了した場合には（ステップＳ１１９でＹＥＳ）、ハロゲンヒーター４３の駆動を停止して（ステップＳ１２１）、当該ジョブについての温調制御処理を終了する。
【００７５】
上述のように目標定着温度切替タイミングテーブル（図８参照）は、ステップＳ１０６において識別子画像の範囲を定着する間は、加熱ローラー４１の温度が第２定着温度になるように目標定着温度切替タイミングを決定しているので、図８のテーブルにしたがって目標定着温度を切り替えることにより、識別子画像のトナー像は第２定着温度で定着でき、定着画像における劣化が防げる。また、識別子画像以外の部分では第１定着温度に切り替えて制御するので節電に寄与する。
【００７６】
＜第２実施の形態＞
上記第１の実施の形態においては、原画像の印字データに既に識別子画像が含まれている場合について説明したが、第２実施の形態では、複写機１自身が、所定の情報を符号化して識別子画像を生成し、原画像に追加する機能を有する場合について説明する。
このような符号化の対象となる情報として、ユーザーにより設定された最適な画像形成条件、ジョブを発行したユーザーの属性情報、ログイン用のパスワードその他のセキュリティ情報、プリント実行日時、プリントを実行している機器のシリアル番号、ＷｅｂサイトのＵＲＬなどが含まれる。
【００７７】
特に、最近では、ＱＲコード（登録商標）を用いた互換性を有するセキュリティ機能などが提案されており、プリント時において原画像に識別子画像を付加する要請がますます高くなっている。
本実施の形態における複写機１全体の構成は第１実施の形態と同じであり、ただ、制御部５０の構成と温調制御処理の一部の内容が異なっている。
【００７８】
（１）制御部５０
図１０は、本実施の形態における制御部５０の第１実施の形態と異なる部分を説明するための図である。
同図に示すように識別子画像判別部５７に代えて、符号化情報記憶部６１、識別子画像生成部６２、識別子画像付加位置決定部６３を備えている。
【００７９】
符号化情報記憶部６１は、プリントすべき各頁、もしくは特定の頁において、符号化して識別子画像とすべき情報を記憶する。
このような符号化の対象となる情報として、上述のようなユーザーの属性情報、パスワード、プリント実行日時、複写機１のシリアル番号などが含まれる。
識別子画像生成部６２は、符号化情報記憶部６１から符号化すべき情報を読み出して、当該識別子画像の規格で定められている符号化処理を行って識別子画像の画像データを生成する。
【００８０】
識別子画像付加位置決定部６３は、上記生成された識別子画像化を、当該識別子画像が付加されるべき頁のどの位置に付加されるべきかを決定する。
そして、定着温度切替タイミング記憶部５８は、上記決定された付加位置に基づいてＣＰＵ５１で決定された目標定着温度切替タイミングをテーブルの形式で記憶する。
（２）温調制御処理の内容
（２−１）温調制御処理の概要
図１１（ａ）〜（ｃ）は、本実施の形態における動作の一例を示す図である。
【００８１】
まず、図１１（ａ）に示すような原画像データに対し、複写機１において所定の情報を符号化して生成した識別子画像を追加して図１１（ｂ）に示すような画像データを生成し、その上で、図１１（ｃ）に示すように通紙方向における当該識別子画像が含まれる範囲ａ０を第２定着温度で加熱するように目標定着温度を切り替える制御を実行する。
なお、図１１（ｂ）は、あくまでも識別子画像の付加位置の一例であって、実際には加熱効率が最適な位置を判断して、その位置に付加する処理を行う。
【００８２】
（２−２）温調制御処理のフローチャート
図１２は、実行すべきプリントジョブの全ての頁に１個の識別子画像を必ず付加する場合において、制御部５０で実施される温調制御処理の動作を示すフローチャートである。第１実施の形態の図５のフローチャートとの相違点は、同図の範囲ＥにおけるステップＳ３０１〜Ｓ３０３であるので、以下では、特にこの点を中心にして説明する。
【００８３】
画像データを取得後（ステップＳ１０１）、頁数を示す変数Ｎを「１」、目標定着温度Ｔ０を第１定着温度Ｔ１に設定する（ステップＳ１０２，Ｓ１０３）。
そして、識別子画像生成部６２で生成された当該Ｎ頁目の画像に付されるべき識別子画像を取得し（ステップＳ３０１）、当該取得した識別子画像を頁のどの位置に付加すべきかを決定する識別子画像付加位置決定処理を実行する（ステップＳ３０２）。
【００８４】
図１３は、この識別子画像付加位置決定処理のサブルーチンを示すフローチャートである。
同図に示すように、この識別子画像付加位置決定処理では、まず、ユーザーにより付加位置の指定があったか否かを判定する（ステップＳ４０１）。
ユーザーからの指定は、操作パネル７０の表示部に付加位置の選択画面を表示させ、頁毎もしくは全頁共通に、ユーザーが指定できるように構成することにより達成できる。
【００８５】
例えば、上部余白右隅、下部余白右隅などのアイコンを表示部に表示させ、ユーザーが当該アイコンをタッチすることにより指示を受け付けるように構成する。
このような識別子画像付加位置の指定があった場合には（ステップＳ４０１でＹＥＳ）、当該指定された位置に識別子画像を付加するように位置決定する（ステップＳ４０２）。
【００８６】
ステップＳ４０１において、ユーザーから識別子画像付加位置について何ら指定がなかった場合には（ステップＳ４０１でＮＯ）、当該Ｎ頁内の画像の余白に大きな差があるか否かを判定し（ステップＳ４０３）、余白に大きな差がある場合には（ステップＳ４０３でＹＥＳ）、余白の量がより少ない位置に付加する（ステップＳ４０４）。
例えば、印刷すべき原画像における通紙方向における余白量が、図１４（ａ）のように差がある場合には、図１４（ｂ）に示すように余白量が小さな上部に識別子画像を付加する（図では左上隅に付しているが、右上隅であっても構わない。）。
【００８７】
余白量が大きな部分の端部（例えば、図１４（ｂ）の右下隅の波線部）に付すよりも加熱効率がいいからである。もし、下部端部に設けるとすれば、一旦定着温度を下げた後、再び識別子画像が定着ニップに到着するまでに第２定着温度まで加熱しなければならず、加熱効率が悪くなり、節電の観点から望ましくない。
なお、多少なりとも余白量に大小があれば、より小さい余白の部分に識別子画像を付加することにより、節電の効果が有ると考えられるが、本実施の形態では、頻繁な切替制御により制御が複雑にならないように「余白量に大きな差がある」場合に限っている。
【００８８】
ここで、「余白量に大きな差がある」場合とは、通紙方向における一方の余白量が他方の余白量に対して、識別子画像を通紙方向に２個以上多く形成できる場合をいうものとしている。もちろん、この差分の程度は、節電の要請の程度に応じて適時変更されてもよい。
ステップＳ４０３でＮＯと判定された場合には、現在プリント対象となっている頁が、定着部４０に通紙される最初の頁か否かを判定する（ステップＳ４０５）。なお、画像データにおける最後の頁であっても、逆頁順に出力するような場合には、ここでは、「最初の頁」になる。
【００８９】
ステップＳ４０５で最初の頁であると判断された場合には（ステップＳ４０５でＹＥＳ）、識別子画像は、そのシート搬送方向における後端側（以下、単に「後端側」という。）の余白に付される（ステップＳ４０６）。
もし、シート搬送方向先端側（以下、単に「先端側」という。）の余白に付加すると、ウォームアップ開始から第２定着温度になるまで、第１頁目のプリント動作を開始できず、ファーストプリントタイムが遅くなるおそれがあるからである。他方、後端側に付加するとその熱量を後続する頁の定着に利用することができ加熱効率の向上が望める。
【００９０】
現在プリント対象となっている頁が、定着部４０に通紙される最初の頁ではなく最後の頁である場合には（ステップＳ４０５でＮＯ、かつステップＳ４０７でＹＥＳ）、先端側の余白に識別子画像を付加する。こうすれば、第２定着温度から第１定着温度に下がるまでの余熱を定着に利用することができ、その間ハロゲンヒーター４３への供給電力をオフにできるので、熱の利用効率がよく節電に資する。
【００９１】
しかし、もし、後端側の余白部に識別子画像を付加した場合には、第２定着温度にあげたままジョブが終了してハロゲンヒーター４３をオフすることになり、高い第２定着温度まで上昇させた後、降下するときの余熱を定着に利用できないので、熱利用効率としては悪くなる。
現在プリント対象となっている頁が、定着部４０に通紙される最初の頁でも、最後の頁でもない場合（ステップＳ４０７でＮＯ）、すなわち、途中の頁である場合には、前頁におけるシート後端側の余白における識別子画像の有無を判定する（ステップＳ４０９）。
【００９２】
この判定は、頁毎の識別子画像の付加位置を例えばＲＡＭ５３に順に記憶していき、前の頁につき当該記憶情報を参照することにより判定できる。
前頁における記録シート後端側の余白に識別子画像が付加されている場合には（ステップＳ４０９でＹＥＳ）、先端側の余白に識別子画像を付加する（ステップＳ４１０）。こうすれば、前頁におけるシート後端側の識別子画像のため第２定着温度まで上昇させた温度を第１定着温度まで下げるまで無駄に放熱させることなくそのまま第２定着温度に維持した状態で定着できるため、熱の利用効率がよいからである。
【００９３】
現在プリント対象となっている頁が途中の頁であって、かつ、前頁における後端側の余白に識別子画像が付加されていない場合には（ステップＳ４０９でＮＯ）、初期設定されている位置に付加する（ステップＳ４１１）。
この場合には、もはやどの位置に識別子画像を付加しても熱の利用効率としてほとんど差がないため、画像形成装置に予め初期値として設定されている位置に付加される。この付加位置は、レイアウトとして差し支えのない位置（例えば、図１１（ｂ）に示すように記録シートの４隅のうち先端側右隅の位置）として予め設定された位置とする。
【００９４】
もっとも、このステップＳ１１１において、レイアウトに差し支えのない位置として、まず、周囲の余白以外の部分で、原画像を構成する画像領域と重ならない領域を検出し、そのうちの適当な位置に付加するようにし、そのような領域がない場合には４隅のいずれかに付加するようにプログラムしても構わない。
なお、一つのプリントジョブの対象となる頁が１枚のみの場合には、ステップＳ４０５でＹＥＳと判定されて、識別子画像はシート後端側の余白に付加されるものとする。
【００９５】
図１５（ａ）（ｂ）は、プリントジョブの枚数が３枚の場合におけるステップＳ４０５〜Ｓ４１０の適用を図示して示すものである。
左側の図１５（ａ）は、識別子画像を付加する前の原画像を示し、右側の図１５（ｂ）は、図１３のフローチャートにしたがって、識別子画像を付加した後の画像を示す。
同図（ｂ）に示すように通紙方向の最初の頁については、その記録シートの先端側の余白に識別子画像が付加され（図１３のステップＳ４０５でＹＥＳ、ステップＳ４０６）、通紙方向における最後の頁には、その記録シート先端側の余白に識別子画像が付加される（ステップＳ４０７でＹＥＳ、ステップＳ４０８）。
【００９６】
また、途中の頁には、前頁の識別子画像付加位置により近い記録シート先端側余白に識別子画像が付加されている（ステップＳ４０９でＹＥＳ、ステップＳ４１０）。
＜第３実施の形態＞
上記第２実施の形態では、プリントすべき画像データが文字画像と識別子画像のみである場合における温調制御処理について説明したが、画像データに文字画像と識別子画像のほか、写真や絵画などの階調性のある階調画像（以下、本実施の形態では「写真画像」という。）の場合にも良好な定着性が望まれるのは言うまでもない。
【００９７】
プリントすべき頁内における写真画像については、第２定着温度と同じ定着温度で定着してもよいが、本実施の形態では、写真画像の定着性をさらに向上すべく、第２定着温度よりも高い第３定着温度で定着する場合における温調制御処理について説明する。
なお、第１、第２定着温度は、それぞれ１６０℃、１７０℃であり、第３定着温度は１８０℃とする。
【００９８】
（１）制御部５０の構成
図１６は、本実施の形態における複写機１の制御部５０の構成において、第２実施の形態の場合と異なる部分を説明するための部分図である。
同図に示すように本実施の形態では、画像種類判別部６０が追加されており、この画像種類判別部６０は、プリントすべき頁内の画像データを解析して、当該画像データに含まれる画像の種別（文字画像か写真画像か）とその範囲を検出する。
【００９９】
この画像種類判別は、公知の方法によりなされる。例えば、画像データが外部端末から受信したプリントジョブデータに含まれるものであった場合には、通常は、ＰＤＬ（ページ記述言語）データとして受信する。ＰＤＬデータ内には、印字のための制御情報として、各ページに含まれる構成画像の種別（文字画像、写真画像）、とその配置に関する情報が含まれているため、当該制御情報を解析することにより、各構成画像の種別とその位置および個数情報が取得できる。
【０１００】
また、画像データが、スキャナー部１０で読み取った原稿の画像データである場合には、当該画像データを主走査方向及び／又は副走査方向に走査して、エッジ数をカウントし、当該エッジ数が所定の閾値未満の場合に写真画像と判別し、閾値以上の場合には文字画像を判別する。あるいは、濃度ヒストグラムを作成して、特定の濃度に偏在している場合には文字画像、そうでない場合には写真画像と判別することができる。
【０１０１】
制御部５０は、上記画像の種別の判別結果に応じて、温調制御処理を実行する。
（２）温調制御処理のフローチャート
図１７は、本実施の形態において制御部５０により実行される温調制御処理の内容を示すフローチャートである。
まず、プリント対象となる画像データを取得する（ステップＳ５０１）。
【０１０２】
そして、頁数を示す変数Ｎを初期値の１に設定すると共に（ステップＳ５０２）、加熱ローラー４１が維持すべき目標定着温度Ｔｏを、第１定着温度Ｔ１に設定する（ステップＳ５０３）。
次に、制御部５０の画像種類判別部６０において、全頁の画像データを解析し、各頁に含まれる画像の種類（文字画像か写真画像か）とその位置および個数に関する情報を取得する（ステップＳ５０４）。
【０１０３】
これらの情報は、その頁数に対応付けられて、ＲＡＭ５３に格納される。
上記解析の結果、Ｎ頁目の画像データに写真画像が含まれていると判定された場合には（ステップＳ５０５でＹＥＳ）、当該写真画像の位置情報とそのブロックの個数をＲＡＭ５３から取得すると共に（ステップＳ５０６）、識別子画像生成部６２で生成された当該頁の画像に付加すべき識別子画像を取得し（ステップＳ５０７）、当該頁内において他の部分の定着温度との関係で熱の利用効率に優れた位置に識別子画像を付加すべく識別子画像付加位置決定処理１を実行する（ステップＳ５０８）。
【０１０４】
図１８は、この識別子画像付加位置決定処理１のサブルーチンの内容を示すフローチャートである。説明の重複を避けるため、第２実施の形態における識別子画像付加位置決定処理（図１３）と同内容のステップには同じステップ番号を付すと共に、ステップＳ４０３〜Ｓ４０８の部分は破線で囲って図示を省略している。
この識別子画像付加位置決定処理では、まず、ユーザーにより付加位置の指定があったか否かを判定し（ステップＳ４０１）、識別子画像付加位置の指定があった場合には（ステップＳ４０１でＹＥＳ）、当該指定された位置に識別子画像を付加するように位置決定する（ステップＳ４０２）。
【０１０５】
ステップＳ４０１において、ユーザーから識別子画像付加位置について何ら指定がなかった場合には（ステップＳ４０１でＮＯ）、当該頁内の画像に、定着温度を第２または第３の定着温度にすべき画像（以下、「高定着温度画像」という。但し、本実施の形態では、原画像に識別子画像は含まれていない場合を考えているので、実質的には写真画像のみとなる。）が存在するか否かを判定する（ステップＳ６０１）。
【０１０６】
高定着温度画像が当該頁内にない場合には、第２の実施の形態と同じ条件になるので、図１３のステップＳ４０３以降を実施する。
高定着温度画像が存在する場合には（ステップＳ６０１でＹＥＳ）、次に当該高定着温度画像の先端側近傍に識別子画像を付加する余白があるか否かを判定する（ステップＳ６０２）。
【０１０７】
なお、本実施の形態において、写真画像の「近傍」とは、当該写真画像との間に、別の図形の領域であると判別できる程度の隙間（約１ｍｍ）を設けた上で少なくとも識別子画像１個分を付加できる範囲をいうものとする。
高定着温度画像の先端側近傍に余白がある場合には（ステップＳ６０２でＹＥＳ）、当該余白部分に識別子画像を付加するように位置決定する（ステップＳ６０３）。
【０１０８】
例えば、原画像が図２２（ａ）に示すような場合（符号６１１は写真画像を示す。）には、当該写真画像６１１の先端側に識別子画像を形成する十分な余白があるので、図２２（ｂ）に示すように当該写真画像６１１の先端側の余白部分に識別子画像６１２を付加する。
ステップＳ６０２で、高定着温度画像の先端側近傍に余白がない場合には（ステップＳ６０２でＮＯ）、他の側の近傍に余白があるか否かを判定し（ステップＳ６０４）、あればその余白部分に識別子画像を付加するように位置決定する（ステップＳ６０５）。
【０１０９】
例えば、原画像が図２３（ａ）に示すような場合には、写真画像の先端側に識別子画像を形成する余白はないが、後端側には十分余白があるので、図２３（ｂ）に示すように当該写真画像の後端側の余白部分に識別子画像を付加する。
このように、すでに原画像内に高定着温度画像が存在する場合には、これに一番近い近傍の余白に識別子画像を付加するのは、もともと高定着温度画像の定着のため加熱ローラー４１を第２もしくは第３定着温度の昇温させる必要があるため、その近傍に識別子画像を付加した方が熱の利用効率がよいからである。
【０１１０】
また、特に、ステップＳ６０２、Ｓ６０３で高定着温度画像の先端側の近傍に優先的に識別子画像を付加するようにしているのは、もし、高定着温度画像（特にトナー量の多い写真画像）の後端側に識別子画像を配すると、先行する高定着温度画像の定着で熱を奪われてしまい、識別子画像の定着時に想定する熱量を供給できないおそれがあるからである。
【０１１１】
ステップＳ６０４において、高定着温度画像のいずれの側の近傍にも識別子画像を付加するだけの余白がないと判定された場合には（ステップＳ６０４でＮＯ）、もはや高定着温度画像の付近に識別子画像を付加することができないので、当該高定着温度画像がない場合と同様、ステップＳ４０３以下の処理（図１３参照）を実行させる。
図１３で説明したようにステップＳ４０３〜Ｓ４０８において当該画像の頁がジョブの最初の頁か、最後の頁かに応じて識別子画像の付加位置を決定し、ステップＳ４０７において最後の頁ではないと判定された場合（ステップＳ４０７でＮＯ）には、図１８のステップＳ６０６において前頁の後端側に高定着温度画像があったか否かを判定し、もしあれば（ステップＳ６０６でＹＥＳ）、現在の頁の先端側の余白に識別子画像を付加する（ステップＳ６０７）。
【０１１２】
ステップＳ６０６で、前頁の後端側に高定着温度画像がないと判定された場合には（ステップＳ６０６でＮＯ）、次にステップＳ６０８において、次の頁の先端側に高定着温度画像があるか否かを判定し、もしあれば（ステップＳ６０８でＹＥＳ）、現在の頁の後端側の余白に識別子画像を付加する（ステップＳ６０９）。
そして、ステップＳ６０８でもＮＯと判定された場合には、初期設定の位置に付加する（ステップＳ６１０）。
【０１１３】
図１８のフローチャートを実行して、識別子画像の付加位置が決定すると、図１７のフローチャートにリターンし、原画像の上記決定された位置に識別子画像を付加すると共に（ステップＳ５０９）、付加された後の各構成画像の配置に基づき目標定着温度切替タイミング決定処理１を実行する（ステップＳ５１０）。
図１９、図２０は、目標定着温度切替タイミング決定処理１のサブルーチンを示すフローチャートである。
【０１１４】
まず、識別子画像よりも先に写真画像が定着ニップに到達する位置にあるか否かを判定し（ステップＳ７０１）、先に写真画像が定着ニップに到達する場合には、当該写真画像が定着ニップＦＮに到着する時刻を取得し（ステップＳ７０１でＹＥＳ、ステップＳ７０２）、温度Ｔ３までの昇温時間を考慮して上記到着時刻までに加熱ローラーの温度がＴ３になるように目標定着温度のＴ３への切替タイミングを決定する（ステップＳ７０３）。
【０１１５】
既述のように昇温勾配ｋａが予め分かっているので、目標定着温度Ｔ３までの温度差をｋａで除することにより必要な昇温時間を求めることができる。
次に、上記写真画像の後端側近傍に識別子画像があるか否かを判定し（ステップＳ７０４）、写真画像の後端側近傍に識別子画像があれば（ステップＳ７０４でＹＥＳ）、写真画像の後端が定着ニップを抜ける時刻を算定して、これを目標定着温度をＴ３からＴ２に切り替えるタイミングとする（ステップＳ７０５）。このように写真画像の後端側近傍に識別子画像がある場合には目標定着温度をＴ３から一旦Ｔ１に切り替えることなく、直接Ｔ２に切り替えるのが合理的であるからである。
【０１１６】
そして、次の識別子画像が定着ニップを抜ける時刻を目標定着温度をＴ２からＴ１に切り替えるタイミングとする（ステップＳ７０６）。
写真画像の後端側近傍に識別子画像がなければ（ステップＳ７０４でＮＯ）、当該写真画像の後端が定着ニップＦＮを抜ける時刻を算定して、これを目標定着温度をＴ３からＴ１に切り替えるタイミングとする（ステップＳ７０７）。
【０１１７】
次に、まだ、Ｎ頁目の残りの画像領域に高定着温度画像があるか否かを判定し（ステップＳ７０８）、もし、もう高定着温度画像がなければ（ステップＳ７０８でＮＯ）、図１７のフローチャートにリターンする。
まだ、高定着温度画像が残っていれば（ステップＳ７０８でＹＥＳ）、ステップＳ７０１に戻って、次に定着ニップＦＮに到着する画像が写真画像であるか否かを判定する。もし、写真画像が先に定着ニップＦＮに到着する場合であれば（ステップＳ７０１でＹＥＳ）、上記ステップＳ７０２〜Ｓ７０８を繰り返し実行するが、次に定着ニップＦＮに到着する画像が写真画像でない場合、すなわち、識別子画像の場合には（ステップＳ７０１でＮＯ）、図２０のステップＳ７０９に移って、当該識別子画像の後に別の写真画像が続くか否かを判定する。
【０１１８】
識別子画像に後続する写真画像がなければ（ステップＳ７０９でＮＯ）、識別子画像の先端が定着ニップＦＮに到着する時刻と、目標定着温度Ｔ２に至るまでの昇温時間を考慮して、目標定着温度をＴ１からＴ２に切り替えるタイミングを決定すると共に（ステップＳ７１９）、当該識別子画像が定着ニップＦＮを抜ける時刻を目標定着温度をＴ２からＴ１に切り替えるタイミングとする（ステップＳ７２０）。
【０１１９】
ステップＳ７０９において、識別子画像に後続する写真画像があると判定された場合には（ステップＳ７０９でＹＥＳ）、図２４の加熱ローラー４１の温度変化のシミュレーション図に示すように、識別子画像の先端が定着ニップＦＮに到着する時刻ｔ２１と、Ｔ２までの昇温時間を考慮して目標定着温度のＴ２への切替タイミングｔ１２を仮決定する（ステップＳ７１０）。
【０１２０】
また、写真画像の先端が定着ニップに到着する時刻ｔ３１と、Ｔ３までの昇温時間を考慮して目標定着温度のＴ３への切替タイミングｔ1３を仮決定する（ステップＳ７１１）。
そして、上記仮決定された切替タイミングｔ１２とｔ１３のどちらが先の時刻となるかを判定する（ステップＳ７１２）。
【０１２１】
もし、仮決定された切替タイミングｔ１２が先でなければ（図２４参照）（ステップＳ７１２でＮＯ）、目標定着温度Ｔ２への切り替え後にＴ３に切り替えたのでは、次に写真画像が定着ニップに到達するまでに定着温度Ｔ３まで上昇することができないので、目標定着温度をいきなり第３定着温度Ｔ３へ切り替えるべく仮決定された切替タイミングｔ１３を切替タイミングとして本決定する（ステップＳ７１８）。
【０１２２】
もし、仮決定された切替タイミングｔ１２が先であれば（図２５、図２６参照）、そのタイミングｔ１２を目標定着温度Ｔ２への切替タイミングとして本決定する（ステップＳ７１３）。
そして、識別子画像が定着ニップＦＮを抜ける時刻ｔ２２よりも早く、目標定着温度をＴ３に切り替える必要があるか否かを判定する（ステップＳ７１４）。
【０１２３】
具体的に図２５のような場合には、識別子画像の後端が定着ニップＦＮを抜ける時刻ｔ２２よりも早い時刻ｔ３５の時点で切り替える必要があり、また、図２６のような場合には、識別子画像の後端が定着ニップを抜けた時刻ｔ２２より後の時刻ｔ３３の時点で切り替える必要がある。
したがって、図２６のように目標定着温度をＴ３に切り替える時刻が、識別子画像が定着ニップを抜ける時刻ｔ２２よりも遅くてもよい場合には（ステップＳ７１４でＮＯ。）、識別子画像が定着ニップを抜ける時刻ｔ２２を、目標定着温度をＴ２からＴ１に切り替えるタイミングに設定する（ステップＳ７１５）。
【０１２４】
そして、写真画像の先端が定着ニップに到着する時刻ｔ３１と、Ｔ３までの昇温時間を考慮して目標定着温度のＴ３への切替タイミングを決定する（ステップＳ７１６）。
この求め方は、例えば、図２６のような場合（すなわち、識別子画像の後端が定着ニップを抜けてから次の写真画像の先端が定着ニップに到着するまでの時間が、Ｔ２からＴ１まで降温する時間と、Ｔ１からＴ３に昇温するまでの時間の和よりも短い場合）には、降温直線Ｌ３と昇温直線Ｌ４との交点Ｐ３３における時刻ｔ３３が、目標定着温度のＴ３への切替タイミングとして決定される。この降温直線Ｌ３と昇温直線Ｌ４の方程式は、それぞれ降温勾配ｋｂ、昇温勾配ｋａ、点Ｐ２２、Ｐ３１の座標が分かっているので、前述の降温直線Ｌ１と昇温直線Ｌ２と同じ要領で容易に求めることができる。
【０１２５】
また、図示はしていないが、図２６において、識別子画像と写真画像との距離が更に開いて、昇温直線Ｌ４と直線Ｔ＝Ｔ１との交点Ｐ３４の座標が、降温直線Ｌ３と直線Ｔ＝Ｔ１との交点Ｐ２３の座標と一致するかそれよりも後にきた場合（すなわち、識別子画像の後端が定着ニップを抜けてから次の写真画像の先端が定着ニップに到着するまでの時間が、Ｔ２からＴ１まで降温する時間と、Ｔ１からＴ３に昇温するまでの時間の和以上の場合）には、点Ｐ３４の時刻ｔ１３が、目標定着温度のＴ３への切替タイミングとして決定される。
【０１２６】
一方、ステップＳ７１４で、識別子画像が定着ニップを抜ける時刻よりも早く、目標定着温度をＴ３に切り替える必要があると判定された場合には、ステップＳ７１５をスキップして、ステップＳ７１６によりＴ３への切替タイミングを決定する。
具体的に、図２５に示すように昇温直線Ｌ４と直線Ｔ＝Ｔ２との交点Ｐ３５の時刻ｔ３５が、Ｔ３への切替タイミングとして設定される。
【０１２７】
そして、写真画像が定着ニップを抜ける時刻ｔ３２を目標定着温度をＴ３からＴ１に切り替えるタイミングとして設定し（ステップＳ７１７）、図１９のステップＳ７０８に移る。
ステップＳ７０８で定着すべき画像にまだ高定着温度画像が残っているか否かを判断し、残っていれば（ステップＳ７０８でＹＥＳ）、ステップＳ７０１に戻って、上記の目標定着温度切替タイミング決定処理を繰り返し、残っていなければ（ステップＳ７０８でＮＯ）、
図１７のフローチャートにリターンする。図１９、図２０で決定された目標定着温度切替タイミングは、図８と同様な目標定着温度切替タイミングテーブルに格納される。
【０１２８】
図１７のステップＳ５１１において、Ｎ頁目の画像データにＲＩＰ処理し、加熱ローラー４１の温度がＴ１以上であることを確認して（ステップＳ５１２でＹＥＳ）、プリント動作を開始する（ステップＳ５１３）。
そして、ステップＳ５１０で作成した目標定着温度切替タイミングテーブルに基づき目標定着温度を切り替える目標定着温度切替処理を実行して温調制御する（ステップＳ５１４）。
【０１２９】
図２１は、この目標定着温度切替処理１のサブルーチンの内容を示すフローチャートである。
図１７のステップＳ５１０の目標定着温度切替タイミング決定処理１で作成された目標定着温度切替タイミングテーブルを参照しながら、ステップＳ８０１、Ｓ８０３、Ｓ８０５において、順次、第２定着温度Ｔ２、第３定着温度Ｔ３、第１定着温度Ｔ１への切替タイミングであるか否かを判定し、該当するステップにおける判定結果が肯定的（ステップＳ８０１、Ｓ８０２、Ｓ８０５のいずれかにおいてＹＥＳ）であれば、対応する定着温度に切り替える処理を実行する（ステップＳ８０２、Ｓ８０４、Ｓ８０６）。
【０１３０】
この目標定着温度の切替処理を当該Ｎ頁目の定着が完了するまで実行し（ステップＳ８０７でＹＥＳ）、図１７のフローチャートにリターンする。
そして、図１７のステップＳ５２３において、全頁のプリントが完了したか否かを判定する。
全頁のプリントが完了していない場合には（ステップＳ５２３でＮＯ）、ステップＳ５２４でＮを１だけインクリメントして次の頁の画像データについてステップＳ５０５以下の処理を繰り返す。
【０１３１】
全頁のプリントを完了した場合には（ステップＳ５２３でＹＥＳ）、ハロゲンヒーター４３の駆動を停止して（ステップＳ５２５）、当該ジョブについての温調制御処理を終了する。
一方、ステップＳ５０５において、Ｎ頁内の構成画像として写真画像が存在しないと判定された場合には（ステップＳ５０５でＮＯ）、基本的に、第２実施の形態の場合と同じなので、同実施の形態における図１２のステップＳ３０１〜Ｓ１１４で説明したのと同様な処理が行われる。
【０１３２】
すなわち、識別子画像生成部６２で生成された識別子画像を取得し（ステップＳ５１５）、当該生成した識別子画像を頁のどの位置に付加すべきかを決定する識別子画像付加位置決定処理２を実行する（ステップＳ５１６）。
この識別子画像付加位置決定処理２のサブルーチンの内容は、図１３で説明したものと同じなので、図示および説明を省略する。
【０１３３】
そして、ステップＳ５１６で決定した位置に識別子画像を付加し（ステップＳ５１７）、当該付加された後の画像データについて、定着時における制御部５０による加熱ローラー４１の温度の制御目標温度を切り替えるタイミングを決定する処理（目標定着温度切替タイミング決定処理２）を実行する（ステップＳ５１８）。
この処理は、図６で説明した目標定着温度切替タイミング決定処理のサブルーチンと同じなので、図示および説明を省略する。
【０１３４】
そして、ステップＳ５１９において、識別子画像が付加されたＮ頁目の画像データにＲＩＰ処理を施して（ステップＳ５１８）、加熱ローラー４１の温度がＴ１以上であることを確認して（ステップＳ５２０でＹＥＳ）、プリント動作を開始し（ステップＳ５２１）、併せて目標定着温度切替処理２を実行する（ステップＳ５２２）。
この目標定着温度切替処理２は、ステップＳ５１８で作成した目標定着温度切替タイミングテーブルを読み出して、タイマー５９による計時時刻を参照しながら、目標定着温度ＴｏをＴ２もしくはＴ２に切り替えて、当該切り替えた定着温度に加熱ローラー４１の温度を維持するように制御するものであり、図２１の目標定着温度切替処理１のフローチャートにおいて、ステップＳ８０３、Ｓ８０４を削除しただけのフローチャートになるので、特に図示しない。
【０１３５】
そして、ステップＳ５２３において、全頁のプリントが完了したか否かを判定し、全頁のプリントが完了していない場合には（ステップＳ５２３でＮＯ）、ステップＳ５２４でＮを１だけインクリメントして次の頁の画像データについてステップＳ５０５以下の処理を繰り返す。
全頁のプリントを完了した場合には（ステップＳ５２３でＹＥＳ）、ハロゲンヒーター４３の駆動を停止して（ステップＳ５２５）、当該ジョブについての温調制御処理を終了する。
【０１３６】
以上、本実施の形態によれば、プリントすべき画像に写真画像が含まれている場合に、当該写真画像については第３定着温度で定着して画質を良好にしつつ、この写真画像の配置との関係で熱の利用効率がよい位置に識別子画像を配置することができ、これにより画質の維持と節電とを両立することができる。
なお、本実施の形態においては、図１７のステップＳ５０４について、１つのジョブ内のプリントすべき全頁の画像について、一度に構成画像を解析して、全頁にわたる定着温度の変化をシミュレーションしつつ、ステップＳ５０８の識別子画像付加位置決定処理（図１８のフローチャート参照）を実行して、具体的な識別子画像付加位置を決定したが、必ずしも一度に全頁についての構造画像の解析をしなくても、現在識別子画像付加位置決定処理の対象となっている頁とその頁を挟む前後の頁の少なくとも３頁分についてそれらの画像に含まれる画像の種別と位置が判明すれば、その範囲で定着温度のシミュレーションが可能となるので、例えば、図１８のステップＳ６０６、６０８の判定を行うことができる。
【０１３７】
このように、ユーザーから画像形成を指示された一のジョブの画像データが３頁以上ある場合において、各頁の既存の構成画像に基づき通紙方向における定着温度の変化を、少なくとも連続する３頁単位でＣＰＵ５１が把握し（定着温度変化把握手段）、その途中の頁の画像において、新たに付加する識別子画像の位置を、前記把握された前頁の後端もしくは次頁の先端の定着温度に基づき決定することにより、頻繁に目標定着温度を切替制御する必要がなくなると共に、連続する頁にわたって集中して効率的に高定着温度画像を定着することができ、節電効果の向上に資する。
【０１３８】
＜変形例＞
以上、本発明は、上述の実施の形態や各構成例に限定されないのは勿論であり、さらに以下のような変形例を考えることができる。
（１）上記各実施の形態における目標定着温度切替タイミング決定処理においては、同一頁内の画像に、通紙方向において第２定着温度で定着すべき識別子画像と、第３定着温度で定着すべき写真画像との間に第１定着温度で定着すべき画像（文字画像）が介在する場合には、基本的に目標定着温度を一旦、高定着温度から第１定着温度に切り替えてから、再度高定着温度に切り替えるようにタイミングを決定していた。
【０１３９】
しかし、例えば、図２７（ａ）のように、通紙方向においてＱＲコード（登録商標）６２１と写真画像６２３との間に文字画像６２２が介在している場合、同図（ｂ）のようにＱＲコード（登録商標）６２１と文字画像６２２を含む範囲ａ１１は、定着温度が第２定着温度となるようにし、写真画像６２３を含む範囲ａ１２においては、定着温度が第３定着温度となるように制御し、最後の範囲ａ１３において、第１定着温度となるように目標定着温度切替タイミング決定を決定してもよい。
【０１４０】
なお、本変形例における目標定着温度切替タイミング決定処理のフローチャートは、図２０におけるステップＳ７１４、Ｓ７１５を省略することにより得られるので、特に図示しない。
また、先に、写真画像が位置し、文字画像が介在して後に識別子画像が位置するような場合でも、写真画像を第３定着温度で定着した後、文字画像および識別子画像を第２定着温度で定着するようにしても構わない。
【０１４１】
このように、１頁分の画像内に、識別子画像と、第２の定着温度以上の温度で定着すべき他の画像が通紙方向において重ならないで配置されている場合には、その間に介在する画像についても第２の定着温度で定着するようにすることにより、節電効果の点では上記実施の形態に比べて若干後退するが、目標定着温度の切替制御が簡易になるという利点があり、また、特に、プリント対象となる画像に写真画像を含む場合に、第３実施の形態の識別子画像の付加位置の決定方法（特に、図１８のステップＳ６０１〜Ｓ６０５）によれば、図２７のような画像配置はそれほど頻繁に発生しないと考えられるからである。
【０１４２】
（２）上記各実施の形態では、給紙部３０における給紙カセット３１が１つであり、記録シートがその長手方向がシート搬送方向と平行になるよう（縦通し方向）にセットされていることを前提にして説明した。
したがって、図４（ａ）のような画像をプリントする場合に図４（ｂ）のように、頻繁に第２定着温度に切り替えるように処理していた。
【０１４３】
しかし、図４（ａ）のように複数の識別子画像が、記録シートの幅方向の一方の側に偏在している場合には、図２８に示すように、記録シートの長手方向がシート搬送方向と直交した状態搬送されるようにすれば（横通し方向）、目標定着温度の切替の回数も少なくて済むため制御が簡易になると共に、第２定着温度で定着すべき通紙方向における範囲（図２８では、ａ２２）が狭くなるため、より節電に寄与する。
【０１４４】
したがって、上記のように高定着温度画像が多くあり、それが記録シートの幅方向の一方に偏在しているような原稿についてコピージョブを実行する場合には、給紙カセット３１に記録シートを横通し方向にセットすると共に、原稿を横通しで読み込んでコピージョブを実行させればよい。
また、通常、デジタル式の画像形成装置は、制御部に画像を回転させる機能を有するものが多いので、この機能を利用すれば、原画像の向きに拘わらず、節電の観点から優れた通紙方向の記録シートを選択して画像形成装置を実行することができる。
【０１４５】
図２９は、このような場合において制御部５０で行われる温調制御処理の変形例を示すフローチャートであって、説明の重複を避けるため、便宜上、主に第１実施の形態における図５のフローチャートとの差分を中心にして部分的に示している。なお、本変形例の前提として、給紙部３０には、給紙カセットが２つあり、それぞれ記録シートが縦通し方向と横通し方向にセットされているものとする。
【０１４６】
ステップ１０５で識別子画像の位置及び個数情報を取得すると、これらの情報に基づき当該画像を９０度回転するか否かを判断する（ステップＳ９０１）。
上述のように、この回転の要否は、定着時における節電の効率性の観点から判断されるので、例えば、原画像通りの方向で記録シートを通紙した場合の第２定着温度で定着すべき時間の総和（通紙方向における識別子画像の範囲の総和）と、その原稿を９０度回転して通紙したとき第２定着温度で定着すべき時間の総和を比較して、よりその総和が小さい方の記録シートの向きとなることを基準にして判断すればよい。
【０１４７】
上述したように図４（ａ）の場合には、図２８のように記録シートが横通しとなるように画像を９０度回転して通紙した方が、縦通しの場合よりも第２定着温度で定着すべき時間が短くなるのは明白であり節電により寄与する。
ステップＳ９０１で、画像を９０度回転すべきであると判定された場合には（ステップＳ９０１でＹＥＳ）、ＣＰＵ５１は、当該頁の画像データを読み出して、公知の画像処理の手法、例えば、当該画像データの各画素のメモリ上のアドレスを９０度回転したアドレスに変換することにより９０度回転させる（ステップＳ９０２）。
【０１４８】
ここで、排出された記録シートの向きを揃える際の煩しさを軽減するため、この回転方向は、例えば右方向に統一されるのが望ましい。
そして、当該回転された画像のプリントに適した方向に記録シートがセットされた給紙口（給紙カセット）に変更すると共に（ステップＳ９０３）、当該９０度回転された画像について目標定着温度切替タイミング処理を実行し（ステップＳ１０６）、以下、ステップＳ１０７以下の処理を実行する。
【０１４９】
なお、本変形例において、ステップＳ９０１の画像を９０度回転するか否かの判断は、ユーザーの操作パネル７０からの指示に基づいても構わない。
（３）上記実施の形態においては、高定着温度画像を定着する際に定着温度のみを上昇させるようにしたが、それに併せて、定着性に影響する条件を変更するようにしても構わない。
【０１５０】
例えば、加熱ローラー４１と加圧ローラー４２の定着ニップ圧を増加させることにより定着ニップの通紙方向における幅を増加させて定着性が向上させるようにしてもよい。
図３０は、カム機構により定着ニップ圧の変更が可能な定着部４０の要部を示す。
加圧ローラー４２は、揺動フレーム４５に回転可能に軸受けされ、揺動フレーム４５は、支軸４５１を介して定着部４０本体内の支持フレーム４６に揺動可能に軸支されている。
【０１５１】
カム機構４７は、カム４７２と、その駆動軸４７１と、駆動軸４７１を回転駆動する駆動源（不図示）とからなる。
揺動フレーム４５の加圧ローラー４２の軸受部分と支軸４５１を挟んで反対側の部分がカム４７２と当接しており、カム４７２の駆動軸４７１を駆動源により回動させることにより、図３０（ａ）の位置から図３０（ｂ）のように揺動フレーム４５が揺動して加圧ローラー４２と加熱ローラー４１の軸間距離が縮まり、加圧ローラー４２と加熱ローラー４１の弾性層４２２、４１１の弾性力により、定着ニップ圧が増大する。
【０１５２】
これにより、定着ニップのニップ幅が増大するので、通紙される記録シートが加熱ローラー４１から熱を受けやすくなり、トナー像の定着性がより向上する。
なお、定着ニップ圧を変化させる構成は、図３０のものに関わらず、公知の他の構成を採用しても構わない。
そして、上記の目標定着温度切替タイミング決定処理と同様な考え方により、ニップ圧切替タイミングが、当該頁のプリント動作の開始前に予めシミュレーションにより決定される。
【０１５３】
すなわち、図３０（ａ）から（ｂ）への状態となるのに必要な駆動時間ｔｆを予め求めておき、記録シート上の高定着温度画像が定着ニップに突入する時刻よりも当該ｔｆだけ早い時刻を第１ニップ圧から第２ニップ圧への切替のタイミングとして決定すると共に、当該高定着温度画像が定着ニップを抜ける時刻を第２ニップ圧から第１ニップ圧への切替のタイミングとして決定し、それらのテーブルを参照しながらニップ圧の切替処理を実行するようにすればよい。
【０１５４】
（４）また、上記実施形態では、ハロゲンヒーター４３を加熱源として利用した定着部の例を示したが、トナー像を溶融するための熱を供給する加熱手段を有する構成であれば、他の構成であっても良い。
特に、金属層を有する定着ベルトに励磁コイルにより交番磁界を作用させて、当該金属層に渦電流を生じさせて発熱させる電磁誘導方式の定着装置や、定着ベルトに抵抗発熱層を設けて、これに通電して発熱させる抵抗発熱体方式の定着装置においては、温度上昇が早く、追随性が優れているので望ましい。
【０１５５】
（５）なお、上記実施の形態では、識別子画像の例として、二次元コードであるＱＲコード（登録商標）を用いて説明したが、その他、ＰＤＦ４１７（登録商標）、データマトリクス（ＤａｔａＭａｔｒｉｘ）（登録商標）、マキシコード（Ｍａｘｉ ＣｏＤｅ）（登録商標）、などの二次元コードであってもよいし、場合によってはバーコードなどの一次元コードであってもよい。
【０１５６】
（６）上記各実施の形態における複写機では、端末からの受け付けたプリントジョブと、原稿画像をスキャナーで読み取ってプリントするコピージョブについて説明したが、プリントの対象となる画像データのソースはこれらに限られない。ファックス機能を有している場合には、ファックスで受信した画像データでもよい。また、ＵＳＢメモリやＳＤカード（登録商標）などの可搬性メモリを接続してプリントアウトできる機能（ダイレクトプリント機能）を有している場合には、当該可搬性メモリに記憶されている画像データであってもよい。
【０１５７】
さらには、過去にスキャナーで読み取った画像データや、プリントアウトした画像データを内部のハードディスクなどの記憶装置にファイリングする機能を有する場合には、それらの画像データを選択してプリントアウトしたり、または、外部のサーバーにアクセスして画像データを取得してプリントアウトしたりできるような場合には、当該記憶装置またはサーバーから取得した画像データも含む。
【０１５８】
したがって、本件発明の対象は、上記複写機のみならず、コピー機能やプリント機能以外の機能を備えた多機能な複合機であってもよいし、プリンター専用機、ファックス専用機、モノクロ専用画像形成装置などであってもよく、要するに熱定着する定着装置を備えた画像形成装置であれば全て適用可能である。
また、上記各実施の形態や変形例は、可能な限り組み合わせてもよい。
【０１５９】
例えば、原画像にすでに識別子画像が付されており、画像形成装置側で、異なる情報を符号化した識別子画像を更に付加するような場合には、第１実施の形態と、第２実施の形態（または第３の実施の形態）とを組み合わせて実施することができる。
【産業上の利用可能性】
【０１６０】
本発明は、制御目標とする定着温度の切り替えが可能な画像形成装置において、節電を可能にしつつ、二次元コードなどの識別子画像の再現性を向上する技術として好適である。
【符号の説明】
【０１６１】
Ａ    イメージリーダー部
Ｂ    プリンター部
１０    スキャナー部
１１    原稿搬送部
２０    画像形成部
３０    給紙部
４０    定着部
４１    加熱ローラー
４２    加圧ローラー
４３    ハロゲンヒーター
４４    温度センサー
４７    カム機構
ＦＮ    定着ニップ
５０    制御部
５１    ＣＰＵ
５５    画像処理部
５６    画像メモリ
５７    識別子画像判別部
５８    定着温度切替タイミング記憶部
５９    タイマー
６０    画像種類判別部
６１    符号化情報記憶部
６２    識別子画像生成部
６３    識別子画像付加位置決定部
６００  ＱＲコード（登録商標）
６１１、６２１  写真画像
６１２、６２３  識別子画像
６２２          文字画像
【図１】
0005862629.tif 000002
【図２】
0005862629.tif 000003
【図３】
0005862629.tif 000004
【図４】
0005862629.tif 000005
【図５】
0005862629.tif 000006
【図６】
0005862629.tif 000007
【図７】
0005862629.tif 000008
【図８】
0005862629.tif 000009
【図９】
0005862629.tif 000010
【図１０】
0005862629.tif 000011
【図１１】
0005862629.tif 000012
【図１２】
0005862629.tif 000013
【図１３】
0005862629.tif 000014
【図１４】
0005862629.tif 000015
【図１５】
0005862629.tif 000016
【図１６】
0005862629.tif 000017
【図１７】
0005862629.tif 000018
【図１８】
0005862629.tif 000019
【図１９】
0005862629.tif 000020
【図２０】
0005862629.tif 000021
【図２１】
0005862629.tif 000022
【図２２】
0005862629.tif 000023
【図２３】
0005862629.tif 000024
【図２４】
0005862629.tif 000025
【図２５】
0005862629.tif 000026
【図２６】
0005862629.tif 000027
【図２７】
0005862629.tif 000028
【図２８】
0005862629.tif 000029
【図２９】
0005862629.tif 000030
【図３０】
0005862629.tif 000031